(57)【要約】【課題】物干具等を掛ける作業が容易で、掛けた後は邪魔になりにくくする。【解決手段】  支持具１は、天井に固定され、下方から吊掛具２の上端の挿入部９を挿入して回動すると、吊掛具２を吊下・支持し、挿入部９を逆に回動すると、吊掛具２を外すことができるようになっている。吊掛具２は、外筒３の内部に上方から内筒４を摺動可能に収容してある。外筒３には、下端部に介在具１９を介して取っ手部８を、上部に略円柱状の固定具５をそれぞれ設けてある。固定具５は、中央に外筒３が貫通する孔を設けて、外筒３に対して上下移動可能で、固定ねじ６で任意の位置に固定することができるようになっており、鉤状の引掛具７を取り付けてある。また、内筒４は、間隔をおいて多数の調整孔１６・・・１６を設けてある。【選択図】図１
2008237663.tif 000002
【特許請求の範囲】
【請求項１】
天井等に固定される支持具に、吊掛具を着脱可能に支持させる吊掛装置であって、吊掛具は、支持具に支持される上方の内筒に対して、下方の外筒を上下に移動させて長さを調整できるように成し、外筒には、下端部近傍に吊掛具の長さの調整操作をする操作具を設けると共に、上下方向に移動して任意位置に固定できる引掛具を設けて成り、外筒の任意位置に固定した引掛具に物干具等を引っ掛けた状態で、操作具を操作して外筒を上下に移動することができるように構成したことを特徴とする吊掛装置。
【発明の詳細な説明】
【技術分野】
【０００１】
本発明は、天井等に固定される支持具に支持させた吊掛具に、物干具や観葉植物や絵画等を吊り下げて使用する吊掛装置に関するものである。
【背景技術】
【０００２】
従来より、特開平６−１２１７２５号発明のように、天井面に支持具を固定し、この支持具に着脱可能に吊掛具を支持させる吊掛装置は提案されており、吊掛具の下端部に設けた引掛具に物干具等を吊り下げて使用することは公知となっている。
【特許文献１】特開平６−１２１７２５号公報
【発明の開示】
【発明が解決しようとする課題】
【０００３】
上記従来例においては、引掛具に物干具等を吊り下げた後に、持ち上げることができないので、手の届く範囲にしか物干具等を吊り下げることがでぎず、通行等の邪魔になることは避けられないという問題があり、本発明は、この問題を解決することを課題としている。
【課題を解決するための手段】
【０００４】
本発明は、上記の課題を解決するために、天井等に固定される支持具に、吊掛具を着脱可能に支持させる吊掛装置であって、吊掛具は、支持具に支持される上方の内筒に対して、下方の外筒を上下に移動させて長さを調整できるように成し、外筒には、下端部近傍に吊掛具の長さの調整操作をする操作具を設けると共に、上下方向に移動して任意位置に固定できる引掛具を設けて成り、外筒の任意位置に固定した引掛具に物干具等を引っ掛けた状態で、操作具を操作して外筒を上下に移動することができるように構成したものである。
【発明の効果】
【０００５】
本発明は、上記のように構成されており、引掛具に物干具等を吊り下げた後に、持ち上げることができるので、低い位置で引掛具に物干具等を吊り下げてから、その後物干具等を手の届かない高い位置まで持ち上げることができ、容易に物干具等を引掛具に引っ掛けられ、掛けた後は邪魔になりにくくすることができるという効果がある。
【０００６】
また、引掛具は、上下方向に移動して外筒の任意位置に固定できるので、使う人の身長に合わせて、使いやすい適当な位置に設定することができるという効果がある。
【実施例】
【０００７】
支持具１は、天井に固定され、下方から吊掛具２の上端の挿入部９を挿入して回動すると、吊掛具２を吊下・支持し、挿入部９を逆に回動すると、吊掛具２を外すことができるようになっている。吊掛具２は、外筒３の内部に上方から内筒４を摺動可能に収容してあり、後述するように、段階的に長さが調整できるようになっている。
【０００８】
外筒３には、下端部に介在具１９を介してリング状の取っ手部８を、上部に略円柱状の固定具５をそれぞれ設けてある。取っ手部８は、吊掛具２を支持具１から着脱する回動操作をするためのものであり、また、ピンチハンガーを掛けたり、物干竿を掛け渡したりすることができるものであるが、本発明では、リング状になっている必要はなく、吊掛具２を回動操作することができるものであればよい。
【０００９】
固定具５は、中央に外筒３が貫通する孔を設けて、外筒３に対して上下移動可能で、固定ねじ６で任意の位置に固定することができるようになっており、鉤状の引掛具７を取り付けてある。また、内筒４には、間隔をおいて多数の調整孔１６・・・１６を設けてある。
【００１０】
介在具１９には、棒状で外筒３の内部に収容され、外筒３とほぼ同じ長さの固定棒１１の下端を固定してある。固定棒１１は、図１０に示すように、断面形状が、円形状の一面側に円弧状溝の切欠溝２０を、他面側に切欠溝２０より小さい円弧状溝の回止溝２１を切り欠き形成した形状であり、上端部には、ストッパー１２が回動可能に取り付けられ、さらにその少し下方に抜止ボール１５を一部が外方に突出するように取り付けてある。ストッパー１２は、一端に爪部１３を設けてあり、この爪部１３が内筒４の調整孔１６・・・１６のいずれかに選択的に係合するようになっている。
【００１１】
さらに介在具１９には、固定棒１１の切欠溝２０に包囲されるよう位置する断面円形状の作動棒１８を上下摺動可能に取り付けてある。作動棒１８は、下端部を操作具１０に固定されており、上端部はストッパー１２に係合するようになっている。
【００１２】
内筒４は、ストッパー１２が取り付けられた固定棒１１と作動棒１８を内部に収容するように、外筒３に摺動可能に取り付けられる。内筒４の下端部には内方に突出する抜止突起１７を設けてあり、この抜止突起１７は、固定棒１１の回止溝２１に沿って摺動し、外筒３と内筒４が互いに回転するのを防止すると共に、外筒３が下方に移動した時に固定棒１１に取り付けた抜止ボール１５に当接して外筒３が内筒４から抜けるのを防止している。
【００１３】
操作具１０は、介在具１９の内部に摺動可能に収容される円柱状の収容部１０ｂと、介在具１９の外部に露出し手動操作可能な手動部１０ａとを一体的に結合させて組み立てたもので、介在具１９の内部で収容部１０ｂの下部に位置するばね１４で上方に付勢されている。
【００１４】
操作具１０に固定されている作動棒１８も、ばね１４で上方に付勢されることになり、その上端部がストッパー１２を押して爪部１３を外方に、つまり、内筒４の調整孔１６に係合する方向に回動するようになっている。従って、爪部１３がいずれの調整孔１６・・・１６にも係合していない状態で、外筒３を上下に移動すると、爪部１３がいずれかの調整孔１６に位置した時に、ばね１４の力でそこに係合することになる。
【００１５】
吊掛具２の長さを調整するには、ストッパー１２の爪部１３が内筒４の調整孔１６に係合している状態（図６及び図８参照）から、まず手動部１０ａを操作して操作具１０をばね１４に抗して下方に移動させ、操作具１０に固定された作動棒１８の先端を下げて、外方に押されていたストッパー１２の爪部１３が内方に回動できる状態にする。この状態から外筒３を上方又は下方に移動すると、ストッパー１２も上方又は下方に移動し、爪部１３の上部又は下部の斜面が調整孔１６の上縁又は下縁に当接してストッパー１２が内方に回動し、ストッパー１２の爪部１３が調整孔１６から外れ（図７及び図９参照）、外筒３は内筒４に対して上下に摺動可能な状態となる。
【００１６】
そして、外筒３を上下いずれかに摺動させて、吊掛具２を適当な長さに調整してから、操作具１０の手動部１０ａを放す。すると、ばね１４の力で操作具１０を介して作動棒１８が押し上げられ、ストッパー１２を押して爪部１３を外方に回動して、爪部１３が内筒４の調整孔１６に係合し、吊掛具２の長さを変更することができる。
【００１７】
本発明の吊掛装置を使用するには、使う人の身長に合わせて、引掛具７を取り付けた固定具５を適当な上下位置に固定し、吊掛具２を長く伸ばしたに状態にして天井に固定された支持具１に取り付ける（図４参照）。
【００１８】
吊掛具２は長く伸ばした状態なので引掛具７は低い位置にあり、この状態で引掛具７に物干具等を掛け、その後、吊掛具２の下端部近傍に設けた操作具１０を操作して、外筒３を押し上げ、吊掛具２の長さを短くして引掛具７を高い位置に持ち上げる（図１参照）。このようにすると、引掛具７は手の届かない高い位置まで持ち上げることができ、物干具等を掛けていても邪魔になりにくくなる。
【００１９】
なお、吊掛具２を支持具１に着脱可能に取り付ける方法は、特開平６−１２１７２５号公報に記載されている構造等、公知の構造でよいので詳しい説明は省略する。
【図面の簡単な説明】
【００２０】
【図１】吊掛具が最も短く、固定具が最も高い位置にある状態の使用状態を示す全体正面図である。
【図２】中間部省略した全体斜視図である。
【図３】固定具部分の拡大断面図である。
【図４】吊掛具が最も長く、固定具が最も高い位置にある状態の状態の使用状態を示す全体正面図である。
【図５】吊掛具が最も短く、固定具が最も低い位置にある状態の使用状態を示す全体正面図である。
【図６】ストッパーが調整孔に係合している状態の吊掛具の要部の縦断面図である。
【図７】ストッパーが調整孔に係合していない状態の吊掛具の要部の縦断面図である。
【図８】図６の要部拡大図である。
【図９】図７の要部拡大図である。
【図１０】図６のＡ−Ａ線拡大端面図である。
【符号の説明】
【００２１】
１    支持具
２    吊掛具
３    外筒
４    内筒
７    引掛具
１０    操作具
【図１】
2008237663.tif 000003
【図２】
2008237663.tif 000004
【図３】
2008237663.tif 000005
【図４】
2008237663.tif 000006
【図５】
2008237663.tif 000007
【図６】
2008237663.tif 000008
【図７】
2008237663.tif 000009
【図８】
2008237663.tif 000010
【図９】
2008237663.tif 000011
【図１０】
2008237663.tif 000012